(57)【要約】      （修正有）【課題】べルトを通常の締付け状態にしたまま、べルトの上方部を工具ホルダーの引掛け体の係止部と離脱防止部の間に挿入させ、同時に工具ホルダーを下方部に落し込むとべルトが引掛け体内に収納してべルト全体が離脱することなく、引掛け体内に確実に収納させ、短時間で工具ホルダーをべルトに取着させる。【解決手段】各種工具等を挿込んだり、あるいは磁着する工具等保持具Ａを表面部に突設する基板と、上方部を湾曲状に折曲し、且下方端部を内側方に折曲せしめて安全ベルトＢの脱落防止部を形成する前方取着部と、前記上方部を湾曲状に折曲する他方の下方端部に前記脱落防止部に常時押圧状に当接する係止部９を形成し、且前記上方部と前記係止部との間に孔部を形成する弾力性を有する後方押圧部とからなる安全ベルトを挿通するベルト引掛け体とを別設し、前記基板の前方取着部とを固着せしめた。【選択図】図１
0003107999.tif 000002
【実用新案登録請求の範囲】
【請求項１】
各種工具等を挿込んだり、あるいは磁着する工具等保持具を表面部に突設する基板と、上方部を湾曲状に折曲し、且下方端部を内側方に折曲せしめて安全ベルトの脱落防止部を形成する前方取着部と、前記上方部を湾曲状に折曲する他方の下方端部に前記脱落防止部に常時押圧状に当接する係止部を形成し、且前記上方部と前記係止部との間に孔部を形成する弾力性を有する後方押圧部とからなる安全ベルトを挿通するベルト引掛け体とを別設し、前記基板の前方取着部とを固着せしめることを特徴とする安全ベルト用工具ホルダー。
【請求項２】
前記ベルト引掛け体を固着せしめた前記基板の左側方及び右側方に前記安全ベルトが挿通可能な細長孔を夫々形成せしめることを特徴とする請求項１記載の安全ベルト用工具ホルダー。
【考案の詳細な説明】
【技術分野】
【０００１】
本考案は、安全ベルト用工具ホルダーの分野に関するものである。
【背景技術】
【０００２】
従来工具ホルダーとして、実用新案登録第３０３４１４４号公報が開示されている。
【０００３】
前記開示の登録実用新案の工具ホルダーは、工具ホルダーを構成するベース板１に設けた複数のベルト通し孔１１にべルトＡを挿し通していた。そのためべルトＡをべルト通し孔１１に挿通するのに極めて手数がかかり煩わしかった。
【０００４】
さらに前記実用新案の工具ホルダーは、通常複数の工具ホルダーをべルトＡに挿通せしめて作業をするケースもあった。そのため複数の工具ホルダーをべルト通し孔１１に挿通するのに著しく時間がかかる等という弊害があった。
【特許文献１】実用新案登録第３０３４１４４号公報
【考案の開示】
【考案が解決しようとする課題】
【０００５】
従来の工具ホルダーは、該ホルダーを基板の通し孔にべルトを挿し通すのに、べルトをバックルから離脱し、前記べルトの端部を工具ホルダーの通し孔に挿し通していた。
【０００６】
さらに複数の挿し通す工具ホルダーが複数のときは、べルトの挿し通し作業に時間がかかりすぎると共に、挿し通し後はべルトの端部をバックル等に再度挿し通しべルトを正常な状態に締付ける工程が必要であった。
【０００７】
しかるに本考案の安全ベルト用工具ホルダーは、べルトを通常の締付け状態にしたまま、前記べルトの上方部を前記工具ホルダーの引掛け体の係止部と離脱防止部の間に挿入させ、同時に前記工具ホルダーを下方部に落し込むと前記べルトが引掛け体内に収納して前記べルト全体が離脱することなく、前記引掛け体内に確実に収納させ、しかも極めて短時間で前記工具ホルダーをべルトに取着できるようにした。
【０００８】
さらに本考案の安全ベルト用工具ホルダーを前記べルトから離脱せしめるには、第１に、前記べルトに引掛り係止されている前記引掛け体を手指でつかみべルトを着用したまま、べルトの外側方に若干展開させると、前記脱落防止部と係止部との間に隙間を作ってやる。
【０００９】
第２に前記のようにつかんでいる前記工具ホルダーを上下に持上げてやる。その結果べルトは前記引掛け体から容易に離脱できる。従ってべルトと工具ホルダーとを外すのに、バックルからべルトを一々外す必要をなくした。
【００１０】
さらに本考案の工具ホルダーは、前記引掛け体と基板の細長孔とにべルトを挿通し、べルトを嵌挿と挿通をすることによっても、作業ができるようにした。
【課題を解決するための手段】
【００１１】
請求項１記載の考案に係る安全べルト用工具ホルダーは、各種工具等を挿込んだり、あるいは磁着する工具等保持具を表面部１に突設する基板ａと、上方部４を湾曲状に折曲し、且下方端部を内側方に折曲せしめて安全ベルトＢの脱落防止部６を形成する前方取着部５と、前記上方部４を湾曲状に折曲する他方の下方端部に前記脱落防止部６に常時押圧状に当接する係止部９を形成し、且前記上方部４と前記係止部９との間に孔部１０を形成する弾力性を有する後方押圧部８とからなる安全ベルトＢを挿通するベルト引掛け体ｂとを別設し、前記基板ａの前方取着部５とを固着せしめることを特徴とする安全ベルト用工具ホルダーである。
【００１２】
請求項２記載の考案に係る安全べルト用工具ホルダーは、前記ベルト引掛け体ｂを固着せしめた前記基板ａの左側方及び右側方に前記安全ベルトが挿通可能な細長孔３、３を夫々形成せしめることを特徴とする請求項１記載の安全ベルト用工具ホルダーである。
【考案の効果】
【００１３】
請求項１記載の考案の工具ホルダーは、各種工具等を挿込んだり、あるいは磁着する工具等保持具を表面部１に突設する基板ａと、上方部４を湾曲状に折曲し、且下方端部を内側方に折曲せしめて安全ベルトＢの脱落防止部６を形成する前方取着部５と、前記上方部４を湾曲状に折曲する他方の下方端部に前記脱落防止部６に常時押圧状に当接する係止部９を形成し、且前記上方部４と前記係止部９との間に孔部１０を形成する弾力性を有する後方押圧部８とからなる安全ベルトＢを挿通するベルト引掛け体ｂとを別設し、前記基板ａの前方取着部５とを固着せしめる安全ベルト用工具ホルダーなので、安全べルトをしめたまま工具ホルダーを確実且迅速に取着できると共に、安全べルトからの離脱も前記工具ホルダーを手指につかみながら極めて容易にできる利点を有している。    
【００１４】
さらに本考案の安全ベルト用工具ホルダーは、べルトをゆるめることなく締めたままの状態でべルトに工具ホルダーを取着できる利点を有している。
【００１５】
請求項２記載の考案の工具ホルダーは、前記ベルト引掛け体ｂを固着せしめた前記基板ａの左側方及び右側方に前記安全ベルトを挿通可能な細長孔３、３を夫々形成せしめる安全ベルト用工具ホルダーなので、引掛け体と基板に設けた細長孔を使用してべルトを挿通せしめ使用ができるようにした。従って作業者らの好みに応じ対応できる利点を有している。
【考案を実施するための最良の形態】
【００１６】
請求項１、２に係る本考案の安全べルト用工具ホルダーは、工具ホルダーを安全べルトをしめたままべルトをゆるめることなく、べルトに極めて容易に着脱できると共に、さらに前記工具ホルダーは、電話工事、電気工事、土木及び建設工事等に必要な各種の工具類（ハンマー（ｈ）、シノ、レンチ、クリッパー等）を差込んでおき、作業時には抜き取って使用し、作業後は再度挿込んでおくものである。
【００１７】
以下、本考案を実施するための最良の形態を図面に依拠して説明する。
【００１８】
図面においてＡは本考案の工具ホルダーであり以下の構成からなる。
【００１９】
前記工具ホルダーＡは各種工具等を保持し、もしくはボルト、ナット、ビス、釘等を磁着する工具等保持部ｃを板材ａの表面部１の通常下方部に突設状に接着する。前記板材ａは、通常若干の厚さを有し、容易に折曲しない強度を有する金属製板材であるが、合成樹脂製でもよい。２は前記板材ａの裏面部である。３は前記板材ａの左側方及び右側方に形成した安全ベルトＢを挿通可能な形状の細長孔である。
【００２０】
前記細長孔３は、通常２個所形成するが限定しない。３ａは板材ａに設けた孔部である。
【００２１】
３ｂは前記板材ａの構成である両細長孔３、３の夫々の内側部分を基部にして、前記板材ａを内側方に若干傾斜させた傾斜部である。従って前記傾斜部３ｂ、３ｂは左右対称に２個所形成される。
【００２２】
前記傾斜部３ｂ、３ｂは、ベルトＢを引掛け体ｂに吊下げると、前記傾斜部３ｂ、３ｂの夫々の端縁部３ｃ、３ｃと、引掛け体ｂの後方押圧部８と稍同一線上に位置する。
【００２３】
そのため後方押圧部８の挿入部１３に挿入のベルトＢが前記端縁部３ｃ、３ｃに当たり、工具ホルダーＡの吊下げを確実にする。
【００２４】
ｂは前記板材ａの裏面部２に固着するべルト引掛け体であり以下の構成からなっている。
【００２５】
この引掛け体ｂの高さは、前記板材ａの高さより若干低目とし、幅員は前記両サイドの細長孔３の幅員より若干狭めた形状とする。そして材料は通常弾力性のある鋼板を使用するが弾力性がある材質ならば限定しない。
【００２６】
前記引掛け体ｂは、上方部４を湾曲状に折曲し、折曲した一方を前方取着部５とする。この取着部５の下方端部を内側方に折曲し、安全ベルトＢの離脱防止部６を形成する。この脱落防止部６の形状は、図面図示のものに限定しない。即ち図２Ｂのように凹形状に限定せずに、湾曲状等にしてもよい。さらに脱落防止部６の外側部に形成の立上り部７は、若干の高さを有している。５ａは前方取着部５に設けた孔部である。
【００２７】
前記前方取着部５と反対の前記上方部４を湾曲状に折曲し延設して弾力性を有する後方押圧部８を形成する。この押圧部８の下方端部には、前記脱落防止部６に常時押圧状に当接する係止部９を形成する。そして前記上方部４と係止部９との間には、孔部１０は通常２個所形成する。
【００２８】
１１は前記係止部９の上方部にして前方取着部５の裏面部１２方向に折曲せしめ、ベルト挿入部１３に挿入する安全ベルトＢを若干押圧する機能と係止部９を補強せしめる補強部である。
【００２９】
この補強部１１によって、前方取着部５と後方押圧部８との間に形成のべルト挿入部１３に挿入する安全ベルトＢの下方端部の飛出を阻止している。
【００３０】
前記両部材の板材ａと引掛け体ｂは、図２に図示しているように、板材ａの裏面部２にして、且細長孔３、３との間に位置せしめ、板材ａの上方より食み出さないようにセットし、板材ａと引掛け体ｂとを鋲等の接続部材１４を両部材の孔部３ａ、５ａに差込み、前記孔部１０、１０にかしめ部材等を挿入し作業をする。
【００３１】
前記のようにして板材ａと引掛け体ｂとが組立てられると、脱落防止部６の立上り部７に、係止部９の表面部が常時押圧している。ｈはハンマーである。
【００３２】
前記のように組立てた本考案の工具ホルダーＡを、前記安全ベルトＢに引掛けるには以下の工程で行う。何れか一方の手指で工具ホルダーＡ全体をつかみ、他方の手指で引掛け体ｂの後方押圧部８の下方端部の係止部９を外側方にはね上げる。このはね上げによって係止部９と脱落防止部６の立上り部７との間に隙間が出来る。この隙間にべルトＢの下方端部を挿入させ、さらに前記工具ホルダーＡを押上げてやると、前記べルトＢが係止部９と補強部１１に接触しながらべルト挿入部１３に挿入する。
【００３３】
そして工具ホルダーは、上記のように挿入したべルトＢが引掛け体ｂの上方部４によって阻止され吊り下がり状態となっているので、不意にべルトＢから離脱しない。
【００３４】
さらに本考案の工具ホルダーＡをべルトＢから離脱させるときは、前記と同じように係止部９を手指で外側方にはね上げておきながら、前記工具ホルダーＡを上方に持上げてやる。前記の持上げによって、べルトＢの下方端部が外側方に出てくるので、さらにそのまま工具ホルダーＡを持上げると、べルトＢ全体がホルダーＡから離脱する。
【００３５】
前記のようにしてべルトＢが離脱したら、係止部９をはね上げていた手指を離してやる。
【００３６】
以上の工程が工具ホルダーＡとべルトＢとの嵌脱の工程である。
【００３７】
さらに本考案の工具ホルダーＡは、安全べルトＢを板材ａの表面部１より一方（左側方）の細長孔３に挿通し、挿通した後引掛け体ｂのべルト挿入部１３に挿入する。さらに挿入部１３に挿入された前記べルトＢは、他方（右側方）の細長孔３に挿入し板材ａの表面部１に出してやる。
【００３８】
上記の工程によって本考案の工具ホルダーＡは、べルトＢに挿通せしめ取着できる。
【図面の簡単な説明】
【００３９】
【図１】本考案の安全ベルト工具ホルダーの使用状態を示す斜視図である。
【００４０】
【図２】Ａ、Ｂは同工具ホルダーの正面図と縦断側面図である。
【００４１】
【図３】同工具ホルダーを構成する引掛け体の斜視図である。
【符号の説明】
【００４２】
Ａ      工具ホルダー
Ｂ      ベルト
ａ      板材
ｂ      引掛け体
ｃ      保持部
１      表面部
２      裏面部
３      細長孔
３ａ    孔部
３ｂ    傾斜部
３ｃ    端縁部
４      上方部
５      前方取着部
５ａ    孔部
６      脱落防止部
７      立上り部
８      後方押圧部
９      係止部
１０    孔部
１１    補強部
１２    裏面部
１３    べルト挿入部
１４    接続部材
【図１】
0003107999.tif 000003
【図２】
0003107999.tif 000004
【図３】
0003107999.tif 000005